(57)【要約】【課題】  ＵＨＦ帯等の高周波を用いる場合であっても、簡易な構造かつ簡便な手法により書込み対象の無線タグ回路素子との間でのみ無線タグ情報の通信を行うことができる無線タグ回路素子収容器および無線タグ情報通信装置を提供する。【解決手段】  無線タグ回路素子２４ａに対して、ＩＤ（識別情報）を問い合わせる信号を発信する（Ｓ１）。この問い合わせに対し複数の無線タグ回路素子２４ａから返答の電波を受信する（Ｓ２）。次に、受信した複数の無線タグ回路素子２４ａからの返答の電波に含まれるＩＤを抽出し（Ｓ３）、これらのＩＤを順次比較して（Ｓ４）、最も順番が早いＩＤを特定する（Ｓ５）。例えば、上記のようにＩＤが昇順の番号で付されている場合には、最も小さい番号を特定する。そして、特定したＩＤを含めた書込み命令をその無線タグ回路素子２４ａに書込む書込み情報に伴って送信する（Ｓ６）。【選択図】  図１０
2005149429.tif 000002
【特許請求の範囲】
【請求項１】
アンテナ部と、識別情報を記憶する記憶部と、前記アンテナ部が受信した識別情報の問い合わせ信号に応答して前記記憶部に記憶された識別情報を送信する送信部とを備えた無線タグ回路素子を複数収容し、所定の順序で取出し可能に構成された無線タグ回路素子収容器であって、
前記記憶部は、前記無線タグ回路素子収容器からの取出し順序に関連して予め定められた所定の規則に従う順序情報を前記識別情報として記憶するものであることを特徴とする無線タグ回路素子収容器。
【請求項２】
前記無線タグ回路素子は、前記アンテナ部を介して書込むための書込み情報を受信する受信部と、その受信部が受信した書込み情報に含まれる識別情報が前記記憶部に記憶された識別情報と一致する場合に前記書込み情報を記憶する情報記憶部とを備えていることを特徴とする請求項１記載の無線タグ回路素子収容器。
【請求項３】
前記所定の規則の種類を識別する規則種類識別情報を記載したマークを、無線タグ回路素子収容器の外面に識別可能に設けていることを特徴とする請求項１又は２に記載の無線タグ回路素子収容器。
【請求項４】
前記複数の無線タグ回路素子は、リボン状の基材に識別情報に対応する順序で配列されて内包されていることを特徴とする請求項１から３のいずれかに記載の無線タグ回路素子収容器。
【請求項５】
前記順序情報は、昇順または降順に従う数字列であることを特徴とする請求項１から４のいずれかに記載の無線タグ回路素子収容器。
【請求項６】
前記順序情報は、ビット列よりなるハミング符号により構成され、各々のビット列の少なくとも２つ隣以内に配置されたビット列のハミング距離が３以上離れているものであることを特徴とする請求項１から４のいずれかに記載の無線タグ回路素子収容器。
【請求項７】
アンテナ部と、無線タグ回路素子収容器からの取出し順序に関連して予め定められた所定の規則に従う順序情報により構成される識別情報を記憶する記憶部と、その記憶部に記憶された識別情報を送信する送信部とを備えた無線タグ回路素子を複数収容する無線タグ回路素子収容器を収納する収納部と、
複数の無線タグ回路素子が送信する複数の識別情報を受信する受信手段と、
その受信手段により受信した複数の識別情報の中から、その識別情報を構成する順序情報に基づいて前記所定の規則に従っていずれかの識別情報を特定する特定手段とを備えていることを特徴とする無線タグ情報通信装置。
【請求項８】
複数の無線タグ回路素子に対してそれぞれの無線タグ回路素子が有する識別情報の送信を要求する識別情報要求手段を備え、
前記受信手段は、その識別情報要求手段による識別情報の要求に応答して複数の無線タグ回路素子が送信する識別情報を受信するものであることを特徴とする請求項７記載の無線タグ情報通信装置。
【請求項９】
前記無線タグ回路素子は、前記アンテナ部を介して書込むための書込み情報を受信する受信部と、その受信部が受信した書込み情報に含まれる識別情報が、前記記憶部に記憶された識別情報と一致する場合に、前記書込み情報を記憶する情報記憶部とを備えているものであって、
前記特定手段により特定された識別情報を含む書込み命令を無線タグ回路素子に書込む書込み情報に伴なって送信する送信手段とを備えていることを特徴とする請求項７又は８記載の無線タグ情報通信装置。
【請求項１０】
無線タグ回路素子を内包するリボン状の基材に印刷を行う印刷手段を備え、
前記送信手段は、その印刷手段が印刷する内容に対応する書込み情報を送信するものであることを特徴とする請求項７から９のいずれかに記載の無線タグ情報通信装置。
【請求項１１】
前記特定手段は、無線タグ回路素子収容器が有する規則種類識別情報を検出する規則種類検出手段を備え、その規則種類検出手段により検出された規則種類に応じて受信した複数の識別情報の中からいずれかの識別情報を特定するものであることを特徴とする請求項７から１０のいずれかに記載の無線タグ情報通信装置。
【請求項１２】
前記受信手段が受信したハミング符号により構成される複数の識別情報に基づいて、誤りのある識別情報を認識する認識手段を備えていることを特徴とする請求項７から１１のいずれかに記載の無線タグ情報通信装置。
【請求項１３】
前記特定手段は、一度特定した識別情報に基づいて、所定の規則に従う識別情報を有する無線タグ回路素子が存在するか否かを再度検出する再検出手段を備えていることを特徴とする請求項７から１２のいずれかに記載の無線タグ情報通信装置。
【請求項１４】
アンテナ部と、無線タグ回路素子収容器から取出される順序に関連した順序情報により構成される識別情報を記憶する記憶部と、その記憶部に記憶された識別情報を送信する送信手段と、前記アンテナ部が受信した書込むための書込み情報に含まれる識別情報が、前記記憶部に記憶された識別情報と一致する場合に、その書込み情報を記憶する情報記憶部とを備えている無線タグ回路素子を複数収容し、取出し可能に構成されている無線タグ回路素子収容器を着脱自在に収納する収納部と、
その収納部から前記無線タグ回路素子を所定の書込み位置に取出すための取出し手段と、
無線タグ回路素子に対してその無線タグ回路素子が有する識別情報の送信を要求する識別情報要求手段と、
その識別情報要求手段による識別情報の要求に応答して無線タグ回路素子が送信する識別情報を受信する受信手段と、
その受信手段により受信した識別情報が複数個存在する場合、その複数個の識別情報の中から識別情報を構成する順序情報に基づいて前記書込み位置に取出された無線タグ回路素子の識別情報を特定する特定手段と、
その特定手段により特定された識別情報を含む書込み命令を無線タグ回路素子に書込む書込み情報に伴なって送信する送信手段とを備えていることを特徴とする無線タグ情報通信装置。
【発明の詳細な説明】
【技術分野】
【０００１】
本発明は、無線通信により外部と情報の授受が可能な無線タグに関わり、特に無線タグを複数収容する無線タグ回路素子収容器および無線タグに備えられた無線タグ回路素子との間で外部より無線タグ情報の読み取り又は書込みを無線通信によって行う無線タグ情報通信装置に関する。
【背景技術】
【０００２】
小型の無線タグとリーダ（読み取り装置）／ライタ（書込み装置）との間で非接触で情報の読み取り／書き込みを行うＲＦＩＤ(Radio  Frequency  Identification）システムが知られている。例えば、ラベル状の無線タグに備えられた無線タグ回路素子は、所定の情報を記憶するＩＣ回路部と、このＩＣ回路部に接続されて情報の送受信を行うアンテナ部とを備えており、無線タグが汚れている場合や見えない位置に配置されている場合であっても、リーダ／ライタ側よりＩＣ回路部に対して情報の読み取り／書き込みが可能であり、商品管理や検査工程等の様々な分野において実用が期待されている。
【０００３】
このような無線タグ回路素子に対し情報の書込みを行うライタ（書込み装置）としては、例えば、特許文献１に記載のものが知られている。この従来技術では、所定間隔で長方形状のラベルが貼り付けられた帯状の用紙を用紙供給部から順次巻き出して筐体の一方側から供給し、筐体内のモジュールで生成した所定の情報を、上記帯状用紙の搬送路に設けた読み取り／書き込みアンテナを介してラベルに貼り付けられた無線タグ回路素子側に送信することにより、無線タグ回路素子のＩＣ回路部に対して順次書き込みが行われ、最終的に筐体の他方側から排出する。
【特許文献１】特開２００２−２０２６号公報（段落番号０００２〜０００９、図１〜４）
【発明の開示】
【発明が解決しようとする課題】
【０００４】
無線タグとの通信においては、その周波数帯域として、従来、古くから利用されている125KHz帯、利用実績が多い13.56MHz帯等が用いられてきた。しかしながら、これらの帯域を用いたものでは通信距離が短くなるため、無線タグとしての用途が限られてしまうという難点があった。そこで、今後は、周波数帯域として、欧米で多く利用されているＵＨＦ帯等（830〜930MHz帯、2.45GHz帯等）の高周波の利用が考えられつつある。
【０００５】
上記従来技術においては、このような高周波帯を利用する場合についてまで特に配慮されていないため、そのままでは、通信距離が長くなることによって本来の情報書込み対象である無線タグ回路素子のみならず、後続の他の無線タグ回路までが通信可能エリア内に入ることになり、外部から対象無線タグに対して無線タグ情報の問い合わせの通信を行う場合、後続の他の無線タグ回路素子からも応答信号が発せられたりして、対象の無線タグ回路素子との間でのみ無線タグ情報の通信を行うことができないという問題点があった。
【０００６】
本発明の目的は、上記問題点を解決するために為されたもので、ＵＨＦ帯等の高周波を用いる場合であっても、簡易な構造かつ簡便な手法により書込み対象の無線タグ回路素子との間でのみ無線タグ情報の通信を行うことができる無線タグ回路素子収容器および無線タグ情報通信装置を提供することにある。
【課題を解決するための手段】
【０００７】
上記課題の目的を達成するために、本発明の請求項１に記載の無線タグ回路素子収容器は、アンテナ部と、識別情報を記憶する記憶部と、前記アンテナ部が受信した識別情報の問い合わせ信号に応答して前記記憶部に記憶された識別情報を送信する送信部とを備えた無線タグ回路素子を複数収容し、所定の順序で取出し可能に構成され、前記記憶部は、前記無線タグ回路素子収容器からの取出し順序に関連して予め定められた所定の規則に従う順序情報を前記識別情報として記憶するものである。
【０００８】
請求項２記載の無線タグ回路素子収容器は、請求項１記載の無線タグ回路素子収容器において、前記無線タグ回路素子は、前記アンテナ部を介して書込むための書込み情報を受信する受信部と、その受信部が受信した書込み情報に含まれる識別情報が前記記憶部に記憶された識別情報と一致する場合に前記書込み情報を記憶する情報記憶部とを備えている。
【０００９】
請求項３記載の無線タグ回路素子収容器は、請求項１又は２に記載の無線タグ回路素子収容器において、前記所定の規則の種類を識別する規則種類識別情報を記載したマークを、無線タグ回路素子収容器の外面に識別可能に設けている。
【００１０】
請求項４記載の無線タグ回路素子収容器は、請求項１から３のいずれかに記載の無線タグ回路素子収容器において、前記複数の無線タグ回路素子は、リボン状の基材に識別情報に対応する順序で配列されて内包されている。
【００１１】
請求項５記載の無線タグ回路素子収容器は、請求項１から４のいずれかに記載の無線タグ回路素子収容器において、前記順序情報は、昇順または降順に従う数字列である。
【００１２】
請求項６記載の無線タグ回路素子収容器は、請求項１から４のいずれかに記載の無線タグ回路素子収容器において、前記順序情報は、ビット列よりなるハミング符号により構成され、各々のビット列の少なくとも２つ隣以内に配置されたビット列のハミング距離が３以上離れているものである。
【００１３】
請求項７記載の無線タグ情報通信装置は、アンテナ部と、無線タグ回路素子収容器からの取出し順序に関連して予め定められた所定の規則に従う順序情報により構成される識別情報を記憶する記憶部と、その記憶部に記憶された識別情報を送信する送信部と、前記アンテナ部が受信した書込み情報を記憶する情報記憶部とを備えた無線タグ回路素子を複数収容する無線タグ回路素子収容器を収納する収納部と、複数の無線タグ回路素子が送信する複数の識別情報を受信する受信手段と、その受信手段により受信した複数の識別情報の中から、その識別情報を構成する順序情報に基づいて前記所定の規則に従っていずれかの識別情報を特定する特定手段とを備えている。
【００１４】
請求項８記載の無線タグ情報通信装置は、請求項７記載の無線タグ情報通信装置において、複数の無線タグ回路素子に対してそれぞれの無線タグ回路素子が有する識別情報の送信を要求する識別情報要求手段を備え、前記受信手段は、その識別情報要求手段による識別情報の要求に応答して複数の無線タグ回路素子が送信する識別情報を受信するものである。
【００１５】
請求項９記載の無線タグ情報通信装置は、請求項７又は８に記載の無線タグ情報通信装置において、前記無線タグ回路素子は、前記アンテナ部を介して書込むための書込み情報を受信する受信部と、その受信部が受信した書込み情報に含まれる識別情報が、前記記憶部に記憶された識別情報と一致する場合に、前記書込み情報を記憶する情報記憶部とを備えているものであって、前記特定手段により特定された識別情報を含む書込み命令を無線タグ回路素子に書込む書込み情報に伴なって送信する送信手段とを備えている
請求項１０記載の無線タグ情報通信装置は、請求項７から９のいずれかに記載の無線タグ情報通信装置において、無線タグ回路素子を内包するリボン状の基材に印刷を行う印刷手段を備え、前記送信手段は、その印刷手段が印刷する内容に対応する書込み情報を送信するものである。
【００１６】
請求項１１記載の無線タグ情報通信装置は、請求項７から１０のいずれかに記載の無線タグ情報通信装置において、前記特定手段は、無線タグ回路素子収容器が有する規則種類識別情報を検出する規則種類検出手段を備え、その規則種類検出手段により検出された規則種類に応じて受信した複数の識別情報の中からいずれかの識別情報を特定するものである。
【００１７】
請求項１２に記載の無線タグ情報通信装置は、請求項７から１１のいずれかに記載の無線タグ情報通信装置において、前記受信手段が受信したハミング符号により構成される複数の識別情報に基づいて、誤りのある識別情報を認識する認識手段を備えている。
【００１８】
請求項１３に記載の無線タグ情報通信装置は、請求項７から１２のいずれかに記載の無線タグ情報通信装置において、前記特定手段は、一度特定した識別情報に基づいて、所定の規則に従う識別情報を有する無線タグ回路素子が存在するか否かを再度検出する再検出手段を備えている。
請求項１４に記載の無線タグ情報通信装置は、アンテナ部と、無線タグ回路素子収容器から取出される順序に関連した順序情報により構成される識別情報を記憶する記憶部と、その記憶部に記憶された識別情報を送信する送信手段と、前記アンテナ部が受信した書込むための書込み情報に含まれる識別情報が、前記記憶部に記憶された識別情報と一致する場合に、その書込み情報を記憶する情報記憶部とを備えている無線タグ回路素子を複数収容し、取出し可能に構成されている無線タグ回路素子収容器を着脱自在に収納する収納部と、その収納部から前記無線タグ回路素子を所定の書込み位置に取出すための取出し手段と、無線タグ回路素子に対してその無線タグ回路素子が有する識別情報の送信を要求する識別情報要求手段と、その識別情報要求手段による識別情報の要求に応答して無線タグ回路素子が送信する識別情報を受信する受信手段と、その受信手段により受信した識別情報が複数個存在する場合、その複数個の識別情報の中から識別情報を構成する順序情報に基づいて前記書込み位置に取出された無線タグ回路素子の識別情報を特定する特定手段と、
その特定手段により特定された識別情報を含む書込み命令を無線タグ回路素子に書込む書込み情報に伴なって送信する送信手段とを備えている。
【発明の効果】
【００１９】
請求項１に記載の無線タグ回路素子収容器によれば、収容されている無線タグ回路素子は、無線タグ回路素子収容器からの取出し順序に関連して予め定められた所定の規則に従う識別情報を送信するので、無線タグ回路素子収容器からの取出し順序に対応して、無線タグ回路素子を特定することができるという効果がある。
【００２０】
請求項２記載の無線タグ回路素子収容器によれば、請求項１に記載の無線タグ回路素子収容器の奏する効果に加え、アンテナ部が受信した書込み情報に含まれる識別情報が、記憶部に記憶された識別情報と一致する場合に、書込み情報を記憶する情報記憶部を備えているので、書込み情報を、特定された識別情報を含む書込み情報とすることにより、特定された無線タグ回路素子のみにその書込み情報を書込むことができるという効果がある。
【００２１】
請求項３記載の無線タグ回路素子収容器によれば、請求項１又は２に記載の無線タグ回路素子収容器の奏する効果に加え、所定の規則に対応する規則の種類を識別する規則種類識別情報を記載したマークを無線タグ回路素子収容器に識別可能に設けたので、いずれの規則に従った識別情報を有する無線タグ回路素子を収容しているのかを識別し、その識別した規則に従って識別情報を特定することができるという効果がある。
【００２２】
請求項４記載の無線タグ回路素子収容器によれば、請求項１から３のいずれかに記載の無線タグ回路素子収容器の奏する効果に加え、複数の無線タグ回路素子は、リボン状の基材に識別情報に対応する順序で配列されて内包されているので、リボン状の基材を順次取出すことにより所定の順序で無線タグ回路素子を取出すことができるという効果がある。
【００２３】
請求項５記載の無線タグ回路素子収容器によれば、請求項１から４のいずれかに記載の無線タグ回路素子収容器の奏する効果に加え、所定の規則に従う順序情報は、昇順または降順に従う数字列であるので、簡単な演算により複数の順序情報の中から識別情報を特定することができるという効果ある。
【００２４】
請求項６記載の無線タグ回路素子収容器によれば、請求項１から４のいずれかに記載の無線タグ回路素子収容器の奏する効果に加え、識別情報はビット列よりなるハミング符号により構成され、各々のビット列の少なくとも２つ隣以内に配置されたビット列のハミング距離が３以上離れているものであるので、複数の識別情報を受信し、その受信した識別情報のいずれかに誤りがあった場合に、その誤りを認識することができるという効果がある。
【００２５】
請求項７記載の無線タグ情報通信装置によれば、無線タグ回路素子収容器からの取出し順序に関連した識別情報を記憶し、その識別情報を送信する送信部を備えた無線タグ回路素子を収納する収納部と、複数の無線タグ回路素子が送信する複数の識別情報を受信する受信手段と、その受信手段により受信した複数の識別情報の中から、その識別情報を構成する順序情報に基づいていずれかの識別情報を特定する特定手段とを備えているので、無線タグ回路素子を取出す順序に対応して無線タグ回路素子を特定することができるという効果がある。
【００２６】
請求項８記載の無線タグ情報通信装置によれば、請求項７に記載の無線タグ情報通信装置の奏する効果に加え、複数の無線タグ回路素子に対してそれぞれの無線タグ回路素子が有する識別情報の送信を要求する識別情報要求手段を備え、受信手段は、その識別情報要求手段による識別情報の要求に応答して複数の無線タグ回路素子が送信する識別情報を受信するものであるので、取出し順序に応じて無線タグ回路素子を特定する必要があるときに、識別情報要求手段により識別情報の送信を要求し、その時の取出し順序に応じて無線タグ回路素子を特定することができるという効果がある。
【００２７】
請求項９記載の無線タグ情報通信装置によれば、請求項７又は８に記載の無線タグ情報通信装置の奏する効果に加え、無線タグ回路素子は、受信部が受信した書込み情報に含まれる識別情報が、記憶部に記憶された識別情報と一致する場合に、その書込み情報を記憶する情報記憶部を備えているものであって、無線タグ通信装置は、特定手段により特定した識別情報を含む書込み命令を無線タグ回路素子に書込む書込み情報に伴なって送信する送信手段とを備えているので、取出し順序に応じて特定した無線タグ回路素子にのみ、書込み情報を書込むことができるという効果がある。
【００２８】
請求項１０記載の無線タグ情報通信装置によれば、請求項７から９のいずれかに記載の無線タグ情報通信装置の奏する効果に加え、無線タグ回路素子を内包する基材に印刷を行う印刷手段を備え、送信手段は、その印刷手段が印刷する内容に対応する情報を送信するものであるので、印刷する情報に対応した情報を無線タグ回路素子に書込むことができるという効果がある。
【００２９】
請求項１１記載の無線タグ情報通信装置によれば、請求項７から１０のいずれかに記載の無線タグ情報通信装置の奏する効果に加え、特定手段は、無線タグ回路素子収容器が有する規則種類識別情報を検出する規則種類検出手段を備え、受信した複数の識別情報の中から、その規則種類検出手段により検出された規則種類に応じていずれかの識別情報を特定するものであるので、無線タグ情報通信装置は、種々の規則種類に従った順序情報を有する無線タグ回路素子収容器であっても、その規則種類を識別して取出し順序に応じた無線タグ回路素子を特定することができるという効果がある。
【００３０】
請求項１２に記載の無線タグ情報通信装置によれば、請求項７から１１のいずれかに記載の無線タグ情報通信装置の奏する効果に加え、受信手段が受信したハミング符号により構成される複数の識別情報に基づいて、誤りのある識別情報を認識する認識手段を備えているので、ノイズなどにより識別情報が誤って受信された場合であっても、誤って受信された識別情報を認識することができるという効果がある。
【００３１】
請求項１３に記載の無線タグ情報通信装置によれば、請求項７から１２のいずれかに記載の無線タグ情報通信装置の奏する効果に加え、特定手段は、一度特定した識別情報に基づいて、所定の規則に従う識別情報を有する無線タグ回路素子が存在するか否かを再度検出する再検出手段を備えているので、一度特定手段特定した識別情報が誤った識別識別を特定した場合であっても、正しい識別情報を特定することができるという効果がある。
請求項１４に記載の無線タグ情報通信装置によれば、アンテナ部を介して書込みのための書込み情報を受信しその書込み情報を記憶する情報記憶部と、受信部が受信した書込み情報に含まれる識別情報が、前記記憶部に記憶された識別情報と一致する場合に、その書込み情報に基づき情報記憶部に書込みを行う書込み制御部とを備えている無線タグ回路素子を複数収容するものであって、受信手段が受信にした複数の識別情報から取出し順序に対応して識別情報を特定し、その特定した識別情報を含む書込み命令を無線タグ回路素子に書き込む書込み情報に伴なって送信する送信手段とを備えているので、取出し順序に応じて特定した無線タグ回路素子にのみ、書き込み情報を書込むことができるという効果がある。また、収納部に収納された無線タグ回路素子を所定の書き込み位置に取出し、識別情報の要求を行った後、受信した識別情報に基づいて書き込み位置に取出した無線タグ回路素子を特定し、その無線タグ回路素子に書き込み情報を送信することができるので、簡単な操作で、即座に無線タグラベルを作成することができるという効果もある。
【発明を実施するための最良の形態】
【００３２】
以下、本発明の好適な実施例を図面に基づいて詳細に説明する。
【００３３】
図１は、本発明が好適に適用される無線タグ生成システム１０を説明する図である。この無線タグ生成システム１０において、本発明の一実施例である複数の無線タグ情報通信装置１２は、有線或いは無線による通信回線１４を介してルートサーバ１６、端末１８、汎用コンピュータ２０、及び複数の情報サーバ２２に接続されている。
【００３４】
この無線タグ生成システム１０では、端末１８又は汎用コンピュータ２０において、無線タグラベル２４に書込む情報や無線タグラベル２４の印刷範囲に印刷する文字などの情報がユーザにより入力されるとともに、情報サーバ２２に記憶されている物品情報のアドレスと、ルートサーバ１６におけるそれらの対応情報の格納先アドレス等が指定されることにより、無線タグ情報通信装置１２により無線タグに内包される無線タグ回路素子２４ａに識別情報および物品情報等が書込まれ、無線タグラベル２４の印刷範囲に、印刷が行われる。
【００３５】
図２は、上記無線タグ情報通信装置１２の構成を説明する図である。この無線タグ情報通信装置１２は、図４および図５に示す無線タグラベル２４を作成するためのもので、後述するように所定の印字文字等の印刷を施したり、所望の書き込みＩＤ及び物品情報等をＩＣ回路部８０に書き込む等してユーザの要望に応じた無線タグラベル２４を即座に作成できるようにしたもので、その無線タグラベル２４の素材となるタグテープ２６を生成するための後述するカバーフィルム８６、インクリボン９８、アンテナ部６４及びＩＣ回路部８０から成る無線タグ回路素子２４ａが所定の間隔で帯状に配設された基材テープ９２等を収納する着脱自在のカートリッジ２８と、このカートリッジ２８を着脱自在に収納するカートリッジホルダ３１と、カートリッジ用パルスモータ３０を駆動してそのカートリッジ２８からタグテープ２６の送出を制御するカートリッジ用パルスモータ駆動回路３２と、無線タグ回路素子２４ａにカートリッジから取出される順序に応じた識別情報の種類を記載したカートリッジの外側に付されたマークを読み取る読取センサ３３と、上記タグテープ２６に印刷を行うためにサーマルヘッド３４の駆動を制御する印刷駆動回路３６と、そのタグテープ２６を矢印で示す方向に送出するための送出ローラ３８と、送出ローラ用パルスモータ４０を介してその送出ローラ３８の駆動を制御する送出ローラ駆動回路４２と、上記タグテープ２６をカートリッジ２８から搬出口４４へ案内するための搬送ガイド４６と、ソレノイド４８の駆動に応じてそのタグテープ２６を所定の長さで切断して個々の無線タグラベル２４に分割するカッタ５０と、上記搬出口４４におけるそのタグテープ２６の有無を検出するセンサ５２と、上記無線タグ回路素子２４ａとの間で通信を行うための装置側アンテナ部５４と、その装置側アンテナ部５４を介してその無線タグ回路素子２４ａに情報を書き込むための高周波回路５６と、その無線タグ回路素子２４ａから読み出された信号を処理して情報を読み出すための信号処理回路５８と、上記カートリッジ用パルスモータ駆動回路３２、読取センサ３３、印刷駆動回路３６、送出ローラ駆動回路４２、ソレノイド４８、高周波回路５６、及び信号処理回路５８等を介して上記無線タグ情報通信装置１２の駆動を制御するための制御回路６０とを、備えて構成されている。その制御回路６０は、入出力インターフェイス６２により上記通信回線１４に接続されている。
【００３６】
カートリッジ２８は、カートリッジホルダ３１に設けられた図示しない蓋を開閉し、着脱できるように構成され、幅の異なるタグテープや種々の識別情報が予め記憶された無線タグ回路素子２４ａを収納したカートリッジ２８を収納することができる。
【００３７】
図３は、上記無線タグ回路素子２４ａの構成を説明する図である。この図３に示すように、上記無線タグ回路素子２４ａは、前記無線タグ情報通信装置１２とＵＨＦ等の高周波を用いたＲＦＩＤ通信により信号の送受信を行うためのアンテナ部６４と、そのアンテナ部６４により受信された搬送波を整流する整流部６６と、その整流部６６により整流された搬送波のエネルギを蓄積するための電源部６８と、上記アンテナ部６４により受信された搬送波からクロック信号を抽出して制御部７６に供給するクロック抽出部７０と、無線タグ回路素子収容器から無線タグ回路素子２４ａの取出し順序に関連して予め定められた所定の規則に従う順序情報を記憶する順序情報記憶部７２ａと所定の情報を記憶し得る情報記憶部７２ｂとを有するメモリ７２と、上記アンテナ部６４に接続された変復調部７４と、上記整流部６６、クロック抽出部７０、及び変復調部７４等を介して上記無線タグ回路素子２４ａの作動を制御するための制御部７６とを、備えて構成されている。この制御部７６は、前記無線タグ情報通信装置１２と通信を行うことにより上記メモリ７２に上記所定の情報を記憶する制御や、上記アンテナ部６４により受信された搬送波を変復調部７４において上記メモリ７２に記憶された情報信号に基づいて変調したうえで反射波として上記アンテナ部６４から反射返信する制御等の基本的な制御を実行する。上記整流部６６、電源部６８，クロック抽出部７０、変復調部７４、制御部７６、及びメモリ７２は、一つの集積回路であるＩＣ回路部８０内に形成されている。
【００３８】
図４は、前記無線タグラベル２４の外観を示す図であり、（ａ）は平面図、（ｂ）は底面図である。図４（ａ）に示すように、前記無線タグラベル２４の片側の面（表面）には、例えば、ユーザにより入力された「ＲＦ−ＩＤ」等の印字７８がカバーフィルム８６に形成されている。また、図４（ｂ）に示すように、無線タグラベル２４の裏面は、剥離紙９０が粘着されていて何も印刷されていない。
【００３９】
図５は、無線タグラベル２４の断面を示す図であり、図４のV‐V視断面図である。上記整流部６６、電源部６８、クロック抽出部７０、メモリ７２、変復調部７４、及び制御部７６等を含むＩＣ回路部８０は、ＰＥＴ（ポリエチレンテレフタラート）等から成る色付きのベースフィルム８２と一体的に設けられており、上記アンテナ部６４は、そのベースフィルム８２の表面に印刷等により形成されている。そして、そのベースフィルム８２の表側には粘着層８４を介して透明なカバーフィルム８６が、裏側には粘着層８８を介して剥離紙９０がそれぞれ接着されている。上記印字７８は、上記カバーフィルム８６の裏面すなわち上記粘着層８４側の面に印刷されている。また、前記無線タグラベル２４が所定の商品等に貼り付けられる際には、上記剥離紙９０が剥がされて粘着層８８により接着される。
【００４０】
図６は、前記カートリッジ２８（無線タグ回路素子収容器）の構成を詳しく説明する図である。このカートリッジ２８には、一部を拡大して示すように、前記アンテナ部６４及びＩＣ回路部８０等からなる無線タグ回路素子２４ａが所定の間隔で配置された帯状の基材テープ９２が巻回された第１ロール９４と、その基材テープ９２と略同じ幅である前記カバーフィルム８６が巻回された第２ロール９６と、インクリボン９８が巻回されたインクリボンロール１００と、そのインクリボン９８を巻き取るための巻取ローラ１０２と、上記基材テープ９２とカバーフィルム８６とを押圧してそれらを接着させつつ矢印で示す方向にテープ送りをする圧着ローラ１０４とが、それぞれの軸心回りに自転可能に設けられている。上記第１ロール９４及び第２ロール９６は、図面では同心円状に描かれているが、実際には芯に巻かれた渦巻き状になっている。上記インクリボンロール１００及び巻取ローラ１０２は、上記カバーフィルム８６の裏面側すなわち上記基材テープ９２と接着される側に配設されており、上記インクリボン９８は、前記無線タグ情報通信装置１２本体に設けられたサーマルヘッド３４に押圧されることで、上記カバーフィルム８６の裏面に当接させられるようになっている。
【００４１】
前記タグテープ２６の形成においては、前記カートリッジ用パルスモータ３０の駆動により上記巻取ローラ１０２と圧着ローラ１０４とが矢印で示す方向にそれぞれ同期して自転させられる。この際に、前記印刷駆動回路３６により前記サーマルヘッド３４に備えられた複数の発熱素子に通電されると、前記カバーフィルム８６の裏面すなわち上記基材テープ９２と接着される側の面に所定の文字や記号、或いはバーコード等が印刷され、その印刷が行われたうえで上記圧着ローラ１０４により上記基材テープ９２と接着されて前記タグテープ２６として形成される。前記無線タグラベル２４の作成に際しては、前記高周波回路５６等によりそのタグテープ２６に備えられた各無線タグ回路素子２４ａのＩＣ回路部８０に所定の情報が書き込まれた後、前記カッタ５０により所定の長さで切断されて個々の無線タグラベル２４に分割される。
【００４２】
個々の無線タグ回路素子２４ａには、カートリッジ２８に収容されている順序（言い換えれば取出される順序）に応じて、所定の規則に基づいて付与された識別情報が予め記憶されている。  この所定の規則の種類が識別できるように、カートリッジ２８のハウジング１０６の外側に、その規則の種類が認識可能なように、規則種類識別情報を記載したマークであるバーコード１０８が付与されている。
【００４３】
図７は、カートリッジ２８とそのカートリッジ２８のハウジング１０６の外側に付されたバーコードおよびそのバーコード１０８を読取る読取センサ３３を示す図である。無線タグ情報通信装置１２は、その動作を開始する際には、読取センサ３３がカートリッジ２８のハウジング１０６の外側に付されて無線タグ回路素子２４ａがカートリッジ２８に収容されている順序に応じた識別情報の規則の種類を保持するバーコード１０８を読取り、どのような規則の識別情報が記憶されているのかを識別する。その後、読み書き動作を行う際にその識別情報を用いて先頭の無線タグ回路素子２４ａを特定し、書き込み動作を行うのである。（後に詳述する。）この識別情報としては、降順のもの、昇順のもの、後で詳細を説明するハミング符号によるもの等がある。ハミング符号を用いたものにあっては用いているハミング符号の種類も識別可能なようにバーコードによるマークが付されている。
【００４４】
図８は、前記無線タグ情報通信装置１２の制御回路６０の構成を説明する回路ブロック図である。この図８に示すように、前記制御回路６０は、中央演算処理装置であるＣＰＵ１４０、ＲＯＭ（Read Only Memory）１４２、及びＲＡＭ（Random Access Memory）１４４等から成り、ＲＡＭ１４４の一時記憶機能を利用しつつＲＯＭ１４２に予め記憶されたプログラムに従って信号処理を行う所謂マイクロコンピュータである。Ｉ／Ｏ６２は、入出力回路であり、上記読取センサ３３およびセンサ５２の検出信号を入力し、上記、無線タグ回路素子２４ａとの送受信信号を処理して情報を読み出すための信号処理回路５８と情報を入出力し、カートリッジ用パルスモータ駆動回路３２、印刷駆動回路３６、送出ローラ駆動回路４２、ソレノイド４８等を駆動する信号を出力する。また、この制御回路６０は、前記入出力インターフェイス６２を介して前記通信回線１４に接続されており、前記ルートサーバ１６、端末１８、汎用コンピュータ２０、及び情報サーバ２２等との間で情報のやりとりが可能とされている。
【００４５】
図９は、本発明の概要を説明する図である。第１ロール９４には、複数の無線タグ回路素子２４ａが収納され、個々の無線タグ回路素子２４ａに情報を書込む場合、予め、各無線タグ回路素子２４ａには、収納されている順にそのメモリ７２の順序情報記憶部７２ａに識別情報としての順序情報（以下、ＩＤという）を記憶しておく。この図においては、第１ロール９４の先頭から順に、ＩＤ：１、ＩＤ：２、というように昇順に従って順序番号からなる識別情報が記憶されている。無線タグ情報通信装置１２（ライター）が、そのＩＤを問い合わせる電波を発信すると、その電波の到達範囲に含まれ、問い合わせた信号を受信した無線タグ回路素子２４ａは、自己の有するＩＤを応答する。無線タグ情報通信装置１２は、複数のＩＤを受信した場合、これらの中で最も番号が小さい、すなわち順番が早い番号を特定し、その特定された無線タグ回路素子２４ａに対して書き込む情報を送信する。図９においては、ＩＤ：１が最も順番が早いので、ＩＤ：１という識別番号を付して書き込むべき情報を電波により送信する。
【００４６】
先頭に位置するＩＤ：１というＩＤを有する無線タグ回路素子２４ａは、その受信した電波に含まれるＩＤと、自己のＩＤとが一致するので、受信した電波に含まれる書込むべき情報をメモリ７２の情報記憶部７２ｂに記憶する。これ以外の無線タグ回路素子２４ａは、受信した電波に含まれるＩＤと自己のＩＤとが一致しないので、この電波を無視する。したがって、先頭の無線タグ回路素子２４ａのみに、この情報を記憶させることができる。以下、無線タグ情報通信装置１２及び無線タグ回路素子２４ａが行う処理について説明する。
【００４７】
図１０は、無線タグ情報通信装置１２のＣＰＵ１４０が実行する無線タグ回路素子２４ａへの情報の書込み処理プログラムのフローチャートである。
【００４８】
まず、無線タグ回路素子２４ａに対して、ＩＤを問い合わせる電波を発信する（Ｓ１）。この問い合わせに対する複数の無線タグ回路素子２４ａから返答の電波を受信する（Ｓ２）。次に、受信した複数の無線タグ回路素子２４ａからの返答に含まれるそれぞれのＩＤを抽出する（Ｓ３）。次に、これら複数のＩＤを順次比較し（Ｓ４）、最も順番が早いＩＤを特定する（Ｓ５）。例えば、上記のようにＩＤが昇順の番号で付されている場合には、最も小さい番号のＩＤが特定される。そして、特定されたＩＤを含む書込み命令をその無線タグ回路素子２４ａに書込む書込み情報に伴って電波により送信し（Ｓ６）処理を終了する。
【００４９】
一方、この書き込み情報を含む電波を受信し、処理する無線タグ回路素子２４ａにおける処理を図１１のフローチャートを用いて説明する。
【００５０】
まず、ＩＤを問い合わせる電波を受信する（Ｓ１１）と、受信した電波をデジタル信号に復調し（Ｓ１２）、そのデジタル信号から命令コマンドを抽出する（Ｓ１３）。その命令が書込み命令か否かを判断し（Ｓ１４）、書込み命令である場合には（Ｓ１４：Ｙｅｓ）Ｓ１２の処理で復調したデジタル信号からＩＤを抽出し（Ｓ１５）、無線タグ回路素子２４ａが有するＩＤをメモリ７２の順序情報記憶部７２ａから読み出す（Ｓ１６）。次に受信したＩＤとメモリ７２に記憶しているＩＤが一致するか否かを判断し（Ｓ１７）、一致する場合には、受信した電波は、自己の無線タグ回路素子２４ａに送信されたものであるので、Ｓ１２の処理で復調したデジタル信号から書き込む情報を抽出し（Ｓ１８）、その情報をメモリ７２の情報記憶部７２ｂに書き込む（Ｓ１９）。一方、Ｓ１７の判断処理において、ＩＤが一致しないと判断された場合（Ｓ１７：Ｎｏ）は、この一連の処理を終了する。また、Ｓ１４の書込み命令であるか否かの判断処理において、書込み命令ではないと判断された場合は（Ｓ１４：Ｎｏ）、その命令に従って処理を行い（Ｓ２０）、この一連の処理を終了する。
【００５１】
上記処理により、カートリッジ２８に複数の無線タグ回路素子２４ａが収納されている場合に、収納されている順番に応じたＩＤが無線タグ回路素子２４ａに予め記憶されていれば、その収納部から取出される先頭の無線タグ回路素子２４ａを特定することができ、その特定された無線タグ回路素子２４ａにのみ所定の情報を書き込むことができる。
【００５２】
図１０のフローチャートでは省略したが、無線タグ回路素子２４ａを内包する無線タグラベル２４の印刷領域に、無線タグ回路素子２４ａに書込む情報に対応する文字や、ユーザにより入力された文字等を印刷するようにしてもよい。
【００５３】
ＩＤとしては、上記実施例では、昇順規則に従うように番号の小さい方から順に搬出されるようにしたが、それとは逆に降順規則に従うように番号の大きい順に搬出されるようにしてもよいし、ＡＢＣなどのような数字以外のアルファベットや文字列でもよい。すなわち、予め定められた順序規則に従い、その搬出される順番が特定される符号であればよい。
【００５４】
この無線タグ回路素子２４ａが取出される順序に対応して付けられるＩＤの付け方、すなわち規則の種類が、無線タグ回路素子２４ａを収納しているカートリッジ２８にバーコード１０８などのマークにより、読みとり可能に付されている。この規則種類を認識してその規則に従って先頭の無線タグを特定する無線タグ情報通信装置１２における書込み処理を図１２（ａ）のフローチャートに従って説明する。なお、図１０のフローチャートと同じ処理であるステップは、図１０のステップと同じ番号を付している。
【００５５】
まず、無線タグ回路素子２４ａに対して、ＩＤを問い合わせる電波を送信し（Ｓ１）、この問い合わせに対する複数の無線タグ回路素子２４ａから返答のＩＤを含む電波を受信する（Ｓ２）。次に、受信した複数の無線タグ回路素子２４ａからの返答に含まれるそれぞれのＩＤを抽出し（Ｓ３）、次に、カートリッジ２８にそのカートリッジ２８から取出される無線タグ回路素子２４ａの識別情報の規則種類識別情報（ＩＤ順規則）を表すマークがあるか否かを判断する（Ｓ３１）。そのマークがある場合には（Ｓ３１：Ｙｅｓ）、そのマークからＩＤ順規則を読み取る（Ｓ３２）。Ｓ３１の処理において、マークがないと判断された場合は（Ｓ３１：Ｎｏ）、予め設定されたＩＤ順規則をＲＯＭ１４２から読み出す（Ｓ３３）。
【００５６】
その規則種類が昇順である場合には複数のＩＤの中から番号が最も小さいＩＤを特定し、降順の場合には、最も大きいＩＤのものをカートリッジ２８から取出された先頭の無線タグ回路素子２４ａと特定し（Ｓ３４）、その特定したＩＤを含む書込み命令を、その無線タグ回路素子２４ａに書込む書込み情報に伴って送信し（Ｓ６）処理を終了する。
【００５７】
なお、Ｓ３４において特定されたＩＤが正しいものであるか否かを確認する処理を行うことが望ましい。場合によっては、電波の状態が悪く、最も順序が早いＩＤを受信していない可能性があるからである。この確認処理を図１２（ｂ）のフローチャートに示す。
【００５８】
即ち、Ｓ３４において最も早いＩＤが抽出された時、その最も早いと判断されたＩＤを含め、そのＩＤより早いＩＤを有する無線タグ回路素子２４ａに対して返答するよう問い合わせの電波を送信する（Ｓ４１）。この問い合わせに対して応答されたＩＤの中で最も早いＩＤを規則に基づいて抽出し（Ｓ４２）、そのＩＤがＳ３４の処理において特定したＩＤと一致するか否かを比較する（Ｓ４３）。一致した場合には（Ｓ４３：Ｙｅｓ）確認されたものとして、Ｓ６の処理を行い、一致しない場合には（Ｓ４３：Ｎｏ）Ｓ４２で特定したＩＤを新たな特定したＩＤとし（Ｓ４４）、再度そのＩＤを含め、そのＩＤより早いＩＤを有する無線タグ回路素子２４ａに対して問い合わせを行う（Ｓ４１）。
【００５９】
以上の処理を繰り返すことにより、最も早いＩＤをより確実に特定することができる。
【００６０】
次に、このＩＤとしてハミング符号を用いる場合について説明する。このハミング符号は、複数ビットで表される２進数の数列で、隣り合う数値の異なるビットの数をハミング距離といい、ある数列の範囲でこのハミング距離をある所定の値以上となるように数列を設定することができる。なお、以下の説明では無線タグ回路素子収容器に収容されている順序をタグ順という。
【００６１】
表１は、ハミング符号がが５ビットにより構成される場合の一例を示すもので、二つ隣の範囲内の数値とのハミング距離が３以上となるように設定された数列である。例えば、タグ順が４のＩＤは、「１００００」、タグ順が５のＩＤは、「０１１００」であり、この場合のハミング距離は、左から１、２、３ビット目が異なり、４，５ビット目は同じなので３である。同様にタグ順が６のＩＤは、「０１０１１」であり、タグ順４のＩＤである「１００００」とのハミング距離は、４である。
【００６２】
【表１】
2005149429.tif 000003
このハミング符号による数列をＩＤとして用いると、同時に隣同士に存在する複数（例えば、３つ）のタグからの返答があり、その返答に誤りがあった場合にその誤りを修正することができる。
【００６３】
例えば、問い合わせに対してタグ４、５、６の応答として、「１０００１」、「０１１００」、「０１０１１」を受信したとする。ここで、ＩＤ「１０００１」の前後には、「０１１００」と「０１０１１」のどちらも存在しないため、「１０００１」は、ビット値が誤って受信されたものと推定される。次に、ＩＤ０１１００の前後２つを見ると、ＩＤ「０１０１１」が存在するので、ＩＤ「０１１００」は、タグ順が５でありＩＤ「０１０１１」は、タグ順が６であることが分かる。次にＩＤ「１０００１」について、タグ５，６の両隣のＩＤ「１００００」と「１０１１１」とのハミング距離をみると、それぞれ１と２であるので、ハミング距離が近い「１００００」が誤って「１０００１」に読み取られたものであって、タグ順が４であると推定することができる。よって、読み取られたタグ順は４、５、６であって、タグ順４が最も早いのでＩＤ「１００００」を命令に含めて書込み命令を送信することで、先頭の無線タグ回路素子２４ａに情報を送信することが可能となる。
【００６４】
図１３は、このハミング符号を生成する処理をフローチャートで表したもので、２つ隣までのハミング距離が３以上の５ビットのコードを生成する処理である。
【００６５】
まず、初期値として１番目と２番目の値をハミング距離が３になるように設定し（Ｓ５１）、求める（計算する）リスト番号（list_no）を３とする。求めるＩＤの一つ前のＩＤをid1、二つ前のＩＤをid2とする（Ｓ５３）。次に、id1とid2で共通のビットを反転させ、求める（計算中の）ＩＤ（id0）の同じビットに代入する(Ｓ５４)。次いで、id1、id2
で異なる３ビットの位置（桁）を抽出し（Ｓ５５）、変数iを１とする（Ｓ５６）。
【００６６】
Ｓ５５の処理で抽出した３ビットのi番目に対応するid1の値を反転し、残りの２ビットは反転せずそのままとして、id0に代入する（Ｓ５７）。こうして作成されたid0が、既に作成されたＩＤ中に存在するか否かを検出し（Ｓ５８）、同じものが存在する場合（Ｓ５８：Ｙｅｓ）は、iを１進めて（Ｓ５９）Ｓ５７の処理に戻る。
【００６７】
Ｓ５８の処理において、作成されたid0と同じものが存在しない場合（Ｓ５８：Ｎｏ）ＩＤリストのlist_no番目にid0を代入し（Ｓ６０）list_noを一つ進め（Ｓ６１）、list_noの最大値である３２を超えたか否かを判定し（Ｓ６２）、３２を超えていない場合は、Ｓ５３の処理に戻り、つぎのid0を求め、３２を超えた場合（Ｓ６２：Ｙｅｓ）すべてのＩＤが決定されたので作成されたＩＤリストをＲＡＭ１４４にファイルとして格納する（Ｓ６３）。
【００６８】
図１４は、複数のハミング符号で記述されたＩＤを受信した場合に、誤りを判定して正しい順番の早いＩＤを特定する処理を表すフローチャートである。
【００６９】
まず、ＩＤ１、ＩＤ２、ＩＤ３の３つのＩＤを受信したとする（Ｓ７１）。次に、タグ順とそのタグ順に対応したＩＤ（ハミング符号)のリストをリスト記憶部より取得する（Ｓ７２）。そのリストから、ＩＤ１と一致するタグ順を抽出し、そのタグ順をｎ１とする（Ｓ７３）。同様に、ＩＤ２、ＩＤ３についても、タグ順を取得し、それぞれｎ２、ｎ３とする（Ｓ７４、Ｓ７５）。次にｎ１とｎ２との差が２以下であるかを判定する（Ｓ７６）。
【００７０】
２以下であれば（Ｓ７６：Ｙｅｓ）、ｎ１とｎ３との差が２以下であるかを判定し（Ｓ７７）、２以下であれば、これらの３つのＩＤは、正しく受信されたものと推定する（Ｓ７８）。
【００７１】
Ｓ７７の処理において、２以下ではないと判定された場合（Ｓ７７：Ｎｏ）は、ＩＤ１とＩＤ２は正しいＩＤであるが、ＩＤ３は、誤りがあると推定する（Ｓ７９）。また、Ｓ７６の判定において、ｎ１とｎ２との差が２以下ではないと判定された場合（Ｓ７６：Ｎｏ）は、ｎ１とｎ３との差が２以下であるかを判定する（Ｓ８０）。２以下であると判定された場合（Ｓ８０：Ｙｅｓ）は、ｎ１とｎ３は、正しいＩＤであり、ｎ２は、誤りがあると推定する（Ｓ８１）。Ｓ８０の処理で、ｎ１とｎ３との差が２以下ではないと判定された場合（Ｓ８０：Ｎｏ）は、ｎ２とｎ３との差が２以下であるかを判定する（Ｓ８２）。２以下であると判定された場合（Ｓ８２：Ｙｅｓ）は、ｎ２とｎ３は、正しいＩＤであるが、ＩＤ１は、正しくないと推定する（Ｓ８３）。
【００７２】
Ｓ７９、Ｓ８１、Ｓ８３において推定された３つの場合は、２つのＩＤは正しく、一つは誤りがあるとして、正しい２つのＩＤの前後または間のＩＤと誤りがあると判定されたＩＤとのハミング距離を計算し（Ｓ８４）ハミング距離が１のＩＤが存在するかを判定する（Ｓ８５）。存在する場合には、その誤りがあると判定したＩＤをハミング距離が１であるＩＤの誤りであると推定し、そのＩＤを正しいＩＤとし、そのタグ順を正しいタグ順とする（Ｓ８６）。Ｓ７８の処理およびＳ８６の処理において、正しいと推定される３つのＩＤとそのタグ順が取得されたので、これらのタグ順の中で一番小さいタグ順のＩＤを抽出する（Ｓ８７）。
【００７３】
一方、Ｓ８２の判定でｎ２とｎ３との差が２以下ではないと判定された場合（Ｓ８６：Ｎｏ）と、Ｓ８５の判定で、ハミング距離が１であるＩＤが存在しないと判定された場合（Ｓ８５：Ｎｏ）は、ビット誤りが複数あると判断し（Ｓ８８）、この場合には、単純なエラーではなく、大きなエラーがあるものとして、エラー表示などを行い（Ｓ８９）、先頭のＩＤは、検出できないとして処理を終了する。なお、図１４に記載のフローチャートにおいて、破線で示した処理は、実際には処理が行われるわけではなく、次に行われる処理に進む理由を記述したものであるが、処理の流れを理解しやすいように敢えて記載したものである。
【００７４】
以上のように、ビット誤りが所定の範囲であれば、誤りがあったとしてもそれを認識し、修正して正しい順序を特定することができ、その特定されたＩＤを書込み命令に含めて送信することにより先頭の無線タグ回路素子２４ａに必要な情報を書込むことができる。
【００７５】
上記実施例では、無線タグラベルが、帯状のテープに所定間隔で配置され、カートリッジ内にロール状に収納されているものを、順次取出す場合について説明したが、図１５は、カセット内に、無線タグ回路素子２４ａを収納したタグストラップが積み上げられ、取出す順にＩＤが、１、２、３というように記憶されている場合を模式的に描いている。このような場合であっても、本発明のように、無線タグ情報通信装置１２から、ＩＤを問い合わせ、応答された複数のＩＤの中から最も若い番号を抽出し、そのＩＤを書込み命令に含ませることにより、カセットから取出された先頭のタグストラップの無線タグ回路素子２４ａに、情報を書込むことができる。
【００７６】
なお、請求項７記載の特定手段は、図１０のフローチャートのＳ９の処理、図１２のフローチャートのＳ３４、および図１４のフローチャートのＳ８７の処理が該当する。
【００７７】
また、請求項８記載の識別情報要求手段は、図１０および図１２のフローチャートのＳ１の処理が該当する。また、請求項１０記載の規則種類検出手段は、図１２のフローチャートのＳ３２の処理が該当する。また、請求項１２記載の認識手段は、図１４のフローチャートのＳ８６の処理が該当する。また、請求項１３記載の再検出手段は、図１１（ｂ）に記載のフローチャートが該当する。
【００７８】
以上、実施例に基づき本発明を説明したが、本発明は上述した実施例に限定されるものではなく、本発明の趣旨を逸脱しない範囲内で種々の改良変更が可能であることは容易に推察できるものである。
【００７９】
例えば、上記実施例では、無線タグ回路素子収納器に収納されている順序と識別情報との関係の規則を識別する情報は、カートリッジまたはテープカセットのハウジングの外側にバーコードを付し、無線タグ情報通信装置の読取りセンサがそのバーコードを検出することによりその規則を認識するものとしたが、このマークは、接触により判別されるもの、例えば、所定の位置に穴または突起が形成されていて、装置がその形状を認識する、あるいは他の光学的方法により認識する、あるいは電波などにより、その規則の情報が収納器あるいは、無線タグから発信され、装置が認識するようにしてもよい。
【００８０】
また、上記実施例では、識別情報の問い合わせに対して複数の無線タグ回路素子からＩＤを受信すると、その複数のＩＤの中で最も順序が早いＩＤを特定したが、前回取出されたＩＤを記憶しておいて、そのＩＤの次の順序のＩＤを特定するようにしてもよい。
【００８１】
この場合、カートリッジは、交換可能であるのでカートリッジ毎に識別情報を有し、いずれのカートリッジは、いずれのＩＤが最後に取出されたかを記憶すれば、カートリッジを交換した場合であってもＩＤを特定することができる。
【図面の簡単な説明】
【００８２】
【図１】本発明が好適に適用される無線タグ生成システムを説明する図である。
【図２】無線タグ情報通信装置の構成を示す図である。
【図３】無線タグ回路素子の構成を説明する図である。
【図４】無線タグラベルの外観を説明する図であり、（ａ）は平面図、（ｂ）は底面図である。
【図５】無線タグラベルの断面図である。
【図６】カートリッジの構成を詳しく説明する図である。
【図７】カートリッジ２８の外側に付されたバーコードおよびそのバーコード１０８を読取る読取りセンサ３３を示す図である
【図８】無線タグ情報通信装置の制御回路の構成を説明する回路ブロック図である。
【図９】無線タグ情報通信装置による無線タグ回路素子への情報書き込み動作を模式的に説明する図である。
【図１０】無線タグ情報通信装置による無線タグ回路素子への情報書き込み動作を説明するフローチャートである。
【図１１】無線タグ回路素子による無線タグ通信装置との情報交換動作を説明するフローチャートである。
【図１２】無線タグ情報通信装置による無線タグ回路素子への情報書き込み動作を説明するフローチャートである。
【図１３】ハミング符号の生成処理を表わすフローチャートである。
【図１４】複数のハミング符号によるＩＤ情報を受信した場合の、誤りを認識する処理を表わすフローチャートである。
【図１５】カセット内に収納されたタグストラップを模式的に表わす図である。
【符号の説明】
【００８３】
１２：無線タグ情報通信装置
２４：無線タグラベル
２４ａ：無線タグ回路素子
２８：カートリッジ（無線タグ回路素子収容器）
３１：カートリッジホルダ（収納部）
３３：読取りセンサ（規則種類検出手段））
３４：サーマルヘッド（印刷手段）
６４：アンテナ部
７２：メモリ
７２ａ：順序情報記憶部
７２ｂ：情報記憶部
７６：制御部（書込み制御部）
８０：ＩＣ回路部
１０８：バーコード（規則種類識別情報を記載したマーク）
【図１】
2005149429.tif 000004
【図２】
2005149429.tif 000005
【図３】
2005149429.tif 000006
【図４】
2005149429.tif 000007
【図５】
2005149429.tif 000008
【図６】
2005149429.tif 000009
【図７】
2005149429.tif 000010
【図８】
2005149429.tif 000011
【図９】
2005149429.tif 000012
【図１０】
2005149429.tif 000013
【図１１】
2005149429.tif 000014
【図１２】
2005149429.tif 000015
【図１３】
2005149429.tif 000016
【図１４】
2005149429.tif 000017
【図１５】
2005149429.tif 000018